(57)【要約】【課題】三層交流電圧の一層が欠損した状態で動力用変圧器において変圧することにより異常の生じた交流電圧の供給を阻止可能とする欠損検知器及び欠損検知器を設けた柱上高圧変電システムを提供する。【解決手段】高圧配電線で供給された高圧の電力から動力用電圧を生成して出力する動力用変圧器に接続した３本の出力配線のうち、いずれか２本の出力配線間の電圧が所定電圧値以下となったこと、または少なくとも１本の出力配線の電圧が所定電圧値以下となったことを検知する検知手段と、この検知手段における検知に基づいて前記出力配線からの出力を遮断させる遮断制御手段とを有する欠損検知器及び同欠損検知器を設けた柱上高圧変電システムとする。【選択図】図３
2005080348.tif 000002
【特許請求の範囲】
【請求項１】
高圧配電線で供給された高圧の電力から動力用電圧を生成して出力する動力用変圧器に接続した３本の出力配線のうち、いずれか２本の前記出力配線間の電圧が所定電圧値以下となったことを検知する検知手段と、この検知手段における検知に基づいて前記出力配線からの出力を遮断させる遮断制御手段とを有する欠損検知器。
【請求項２】
高圧配電線を引込むために立設した引込柱の上部に、開閉器と、変圧変流器と、ヒューズと、動力用変圧器とを略同一な鉛直線上に上から順番に配設して、前記高圧配電線から供給された高圧の電力から動力用電圧を生成する柱上高圧変電システムにおける欠損を検知する欠損検知器であって、
前記動力用変圧器に接続した３本の出力配線のうち、いずれか２本の前記出力配線間の電圧が所定電圧値以下となったことを検知する検知手段と、この検知手段における検知に基づいて前記出力配線からの出力を遮断させる遮断制御手段とを有する欠損検知器。
【請求項３】
高圧配電線で供給された高圧の電力から動力用電圧を生成して出力する動力用変圧器に接続した３本の出力配線のうち、少なくとも１本の前記出力配線の電圧が所定電圧値以下となったことを検知する検知手段と、この検知手段における検知に基づいて前記出力配線からの出力を遮断させる遮断制御手段とを有する欠損検知器。
【請求項４】
高圧配電線を引込むために立設した引込柱の上部に、開閉器と、変圧変流器と、ヒューズと、動力用変圧器とを略同一な鉛直線上に上から順番に配設して、前記高圧配電線から供給された高圧の電力から動力用電圧を生成する柱上高圧変電システムにおける欠損を検知する欠損検知器であって、
前記動力用変圧器に接続した３本の出力配線のうち、少なくとも１本の前記出力配線の電圧が所定電圧値以下となったことを検知する検知手段と、この検知手段における検知に基づいて前記出力配線からの出力を遮断させる遮断制御手段とを有する欠損検知器。
【請求項５】
高圧配電線を引込むために立設した引込柱の上部に、開閉器と、変圧変流器と、ヒューズと、動力用変圧器とを略同一な鉛直線上に上から順番に配設して、前記高圧配電線からの高圧の電力の供給に基づいて、前記動力用変圧器に接続した出力配線から動力用電圧を出力する柱上高圧変電システムにおいて、
前記動力用変圧器に接続した３本の出力配線のうち、いずれか２本の前記出力配線の電圧差が所定電圧値以下となったことを検知する検知手段と、この検知手段における検知に基づいて前記出力配線からの出力を遮断性御する遮断制御手段とを有する欠損検知器を設けたことを特徴とする柱上高圧変電システム。
【請求項６】
高圧配電線を引込むために立設した引込柱の上部に、開閉器と、変圧変流器と、ヒューズと、動力用変圧器とを略同一な鉛直線上に上から順番に配設して、前記高圧配電線からの高圧の電力の供給に基づいて、前記動力用変圧器に接続した出力配線から動力用電圧を出力する柱上高圧変電システムにおいて、
前記動力用変圧器に接続した３本の出力配線のうち、少なくとも１本の前記出力配線の電圧が所定電圧値以下となったことを検知する検知手段と、この検知手段における検知に基づいて前記出力配線からの出力を遮断性御する遮断制御手段とを有する欠損検知器を設けたことを特徴とする柱上高圧変電システム。
【発明の詳細な説明】
【技術分野】
【０００１】
本発明は、欠損検知器及び同欠損検知器を設けた柱上高圧変電システムに関するものである。
【背景技術】
【０００２】
従来、コンビニエンスストア等のように電気消費量が５０ｋＷを越える店舗や営業所では、各自で高圧変電設備を設置し、各地の電力会社から高電圧（６６００Ｖ）の電気の供給を受け、高圧変電設備において２００Ｖの動力用電圧、及び、１００Ｖの電灯用電圧への変圧を行なっている。
【０００３】
このような高圧変電設備において、本発明者は、高圧配電線を引込むために立設した引込柱の上部に、開閉器と、変圧変流器と、ヒューズと、動力用変圧器とを略同一な鉛直線上に上から順番に配設して動力用電圧を出力可能とした柱上高圧変電システムからなる高圧変圧設備を考案し、低コストでメンテナンス性のよい高圧変圧設備の提供を行っている（例えば、特許文献１参照。）。
【特許文献１】実用新案登録第３０８５４２５号公報
【発明の開示】
【発明が解決しようとする課題】
【０００４】
しかしながら、上記した柱上高圧変電システムによる高圧変圧設備には次のような不具合が残っていた。すなわち、柱上高圧変電システムでは３本１組となった高圧配電線を引き込むようにしており、各高圧配電線から供給された電力をそれぞれ独立させながら開閉器、変圧変流器、ヒューズに順次送電した後に動力用変圧器に送電して変圧している。
【０００５】
したがって、ヒューズは１本の高圧配電線ごとに１つ必要となるために３つのヒューズが必要であるものの、各ヒューズがそれぞれ独立しているので、何らかの理由によっていずれか一つのヒューズが切れたとしても残りのヒューズには何らの影響もなく、切れていないヒューズを介して動力用変圧器への送電が持続されることとなっていた。
【０００６】
そのため、動力用変圧器では、三層交流電圧の一層が欠損することとなって正常な交流電圧の電力生成が困難となるものの、正常ではない交流電圧を出力し続けることによってこのような電力が供給されたモータ等の装置に故障を生起するおそれがあった。
【課題を解決するための手段】
【０００７】
そこで、本発明では、高圧配電線で供給された高圧の電力から動力用電圧を生成して出力する動力用変圧器に接続した３本の出力配線のうち、いずれか２本の出力配線間の電圧が所定電圧値以下となったことを検知する検知手段と、この検知手段における検知に基づいて出力配線からの出力を遮断させる遮断制御手段とを有する欠損検知器を提供することとした。
【０００８】
また、本発明では、高圧配電線を引込むために立設した引込柱の上部に、開閉器と、変圧変流器と、ヒューズと、動力用変圧器とを略同一な鉛直線上に上から順番に配設して、高圧配電線から供給された高圧の電力から動力用電圧を生成する柱上高圧変電システムにおける欠損を検知する欠損検知器であって、動力用変圧器に接続した３本の出力配線のうち、いずれか２本の出力配線間の電圧が所定電圧値以下となったことを検知する検知手段と、この検知手段における検知に基づいて出力配線からの出力を遮断させる遮断制御手段とを有する欠損検知器を提供することとした。
【０００９】
また、本発明では、高圧配電線で供給された高圧の電力から動力用電圧を生成して出力する動力用変圧器に接続した３本の出力配線のうち、少なくとも１本の出力配線の電圧が所定電圧値以下となったことを検知する検知手段と、この検知手段における検知に基づいて出力配線からの出力を遮断させる遮断制御手段とを有する欠損検知器を提供することとした。
【００１０】
また、本発明では、高圧配電線を引込むために立設した引込柱の上部に、開閉器と、変圧変流器と、ヒューズと、動力用変圧器とを略同一な鉛直線上に上から順番に配設して、高圧配電線から供給された高圧の電力から動力用電圧を生成する柱上高圧変電システムにおける欠損を検知する欠損検知器であって、動力用変圧器に接続した３本の出力配線のうち、少なくとも１本の出力配線の電圧が所定電圧値以下となったことを検知する検知手段と、この検知手段における検知に基づいて出力配線からの出力を遮断させる遮断制御手段とを有する欠損検知器を提供することとした。
【００１１】
また、本発明の柱上高圧変電システムでは、高圧配電線を引込むために立設した引込柱の上部に、開閉器と、変圧変流器と、ヒューズと、動力用変圧器とを略同一な鉛直線上に上から順番に配設して、高圧配電線からの高圧の電力の供給に基づいて、動力用変圧器に接続した出力配線から動力用電圧を出力する柱上高圧変電システムにおいて、動力用変圧器に接続した３本の出力配線のうち、いずれか２本の出力配線の電圧差が所定電圧値以下となったことを検知する検知手段と、この検知手段における検知に基づいて出力配線からの出力を遮断性御する遮断制御手段とを有する欠損検知器を設けた柱上高圧変電システムとした。
【００１２】
また、本発明の柱上高圧変電システムでは、高圧配電線を引込むために立設した引込柱の上部に、開閉器と、変圧変流器と、ヒューズと、動力用変圧器とを略同一な鉛直線上に上から順番に配設して、高圧配電線からの高圧の電力の供給に基づいて、動力用変圧器に接続した出力配線から動力用電圧を出力する柱上高圧変電システムにおいて、動力用変圧器に接続した３本の出力配線のうち、少なくとも１本の出力配線の電圧が所定電圧値以下となったことを検知する検知手段と、この検知手段における検知に基づいて出力配線からの出力を遮断性御する遮断制御手段とを有する欠損検知器を設けた柱上高圧変電システムとした。
【発明の効果】
【００１３】
本発明によれば、高圧配電線で供給された高圧の電力から動力用電圧を生成して出力する動力用変圧器に接続した３本の出力配線のうち、いずれか２本の出力配線間の電圧が所定電圧値以下となったことを検知する検知手段と、この検知手段における検知に基づいて出力配線からの出力を遮断させる遮断制御手段とを有する欠損検知器によって、所要の電力生成が困難となる電力の欠損が生じた場合には、電力の出力を確実に遮断させることができ、異常な電力の供給にともなって、その電力が供給された装置に故障が生じることを防止できる。
【００１４】
また、本発明によれば、高圧配電線で供給された高圧の電力から動力用電圧を生成して出力する動力用変圧器に接続した３本の出力配線のうち、少なくとも１本の出力配線の電圧が所定電圧値以下となったことを検知する検知手段と、この検知手段における検知に基づいて出力配線からの出力を遮断させる遮断制御手段とを有する欠損検知器によって、所要の電力生成が困難となる電力の欠損が生じた場合には、電力の出力を確実に遮断させることができ、異常な電力の供給にともなって、その電力が供給された装置に故障が生じることを防止できる。
【発明を実施するための最良の形態】
【００１５】
図１は、コンビニエンスストア等の変電設備を必要とする建物において柱上高圧変電システムを導入した使用状態を示すものであり、図２はその拡大図である。まず、図１に基づいて、柱上高圧変電システムにおける各電気機器の取付状況について説明する。
【００１６】
はじめに、変電設備を必要とする建物Ｓの近くに、高圧配電線22を引込むための引込柱１を立設する。
【００１７】
そして、立設した引込柱１に、上から順番に開閉器支持体２と、変圧変流器支持体３と、ヒューズ支持体４と、変圧器支持体５とをそれぞれ略水平に装着する。
【００１８】
なお、開閉器支持体２と変圧変流器支持体３の一方側の端部同士を第１アームタイ6aで連結し、さらに変圧変流器支持体３とヒューズ支持体４との一方側の端部同士を第２アームタイ6bで連結し、ヒューズ支持体４と第２アームタイ6bとの連結部分と引込柱１とを補助アーム７で連結することにより、開閉器支持体２、変圧変流器支持体３、ヒューズ支持体４に重量のある電気機器を配設した場合の安定性を高めている。
【００１９】
また、変圧器支持体５に対しては、一端を引込柱１に連結し、他端を変圧器支持体５に方杖状に連結した変圧器支持体用補助アーム8,8を装着して、大きな荷重重量の電気機器を変圧器支持体５に確実に支持することができるようにしている。
【００２０】
そして、開閉器支持体２には、同開閉器支持体２に対して垂下状態に開閉器９を装着している。本実施例では高圧ガス開閉器を使用している。また、開閉器支持体２には、その上部に互いに所用の間隔を設けながら３つの避雷器10を設けている。
【００２１】
変圧変流器支持体３には、同変圧変流器支持体３に対して垂下状態に計器用変圧変流器11を装着している。
【００２２】
ヒューズ支持体４には、所用の間隔を設けながら３つのヒューズホルダー12を装着している。同ヒューズホルダー12には、所用の規格のパワーヒューズ（図示せず）を内蔵している。
【００２３】
変圧器支持体５には、高電圧（６６００Ｖ）を動力用電圧（２００Ｖ）に変圧する動力用変圧器13と、高電圧（６６００Ｖ）を電灯用電圧（１００Ｖ）に変圧する電灯用変圧器14とを、同変圧器支持体５に載置して固定している。さらに、力率改善用として設けた高圧コンデンサ15も、変圧器支持体５に載置している。
【００２４】
特に、開閉器９、計器用変圧変流器11、ヒューズホルダー12、動力用変圧器13は、それぞれできるだけ縦方向に揃えて略同一な鉛直線上に並ぶように配置することにより、開閉器９と、計器用変圧変流器11と、ヒューズホルダー12と、動力用変圧器13とを接続する配線の取り回しを容易に行なうことができ、作業性を向上させることができるようにしている。
【００２５】
なお、電灯用変圧器14は、変圧器支持体５上でのバランスをとるために、引込柱１を挟んで動力用変圧器13と反対側となる位置に配設している。また、配線の関係上、高圧コンデンサ15は動力用変圧器13の近傍に配設している。
【００２６】
変圧器支持体５の下方位置には、取付け金具（図示せず）を用いて分電盤16を引込柱１に配設している。また、分電盤16の近傍には、同じく取付け金具（図示せず）を用いて電力量計17、及び地絡継電器18を配設している。分電盤16、電力量計17、地絡継電器18を互いに近接させて配設することにより、本発明の柱上高圧変電構造の保守・管理を行なう作業者の作業性を向上させている。
【００２７】
上記した柱上高圧変電構造で生成した動力用電圧の電気及び電灯用電圧の電気は、分電盤16から引出した動力用引込電線19a及び電灯用引込電線19bによって電気の送電される建物Ｓに配設した引込盤20と接続し、送電するようにしている。
【００２８】
このとき、特に、動力用引込電線19a及び電灯用引込電線19bは、一旦、変圧器支持体５に掛止させ、引込柱１と建物Ｓとの間を架空させており、動力用引込電線19a及び電灯用引込電線19bの埋設作業を不要としている。図中の符号21は、変圧器支持体５に設けた掛止体である。
【００２９】
以下において、図２を用いて、各電気器具同士の結線について説明する。まず、上記のように電気機器を配設した引込柱１に対して、高圧配電線22,22,22の引込みを行なう。高圧配電線22,22,22は３本１組となっており、引込まれる高圧配電線22,22,22の端部にはそれぞれ端部掛着具23,23,23を取着し、同端部掛着具23,23,23を介して開閉器支持体２に掛着し、引込を行なっている。
【００３０】
端部掛着具23,23,23には引出部24,24,24を設けており、同引出部24,24,24からそれぞれ第１接続配線25,25,25を延出させて、開閉器支持体２に配設した開閉器９の３つの入力端子にそれぞれ接続している。
【００３１】
次いで、開閉器９の３つの出力端子にそれぞれ第２接続配線26,26,26の一端を接続し、他端を変圧変流器支持体３に配設した計器用変圧変流器11の３つの入力端子にそれぞれ接続している。
【００３２】
なお、第２接続配線26,26,26は、中途部においてそれぞれ避雷器接続配線27,27,27を分岐させており、同避雷器接続配線27,27,27の端部を開閉器支持体２に配設した３つの避雷器10,10,10にそれぞれ接続している。
【００３３】
また、開閉器９からは開閉器制御配線28を延出し、変圧器支持体５の下方の引込柱１部分に配設した地絡継電器18に接続し、開閉器９の開閉制御を行なうようにしている。
【００３４】
次いで、計器用変圧変流器11の３つの出力端子にそれぞれ第３接続配線29,29,29の一端を接続し、他端をヒューズ支持体に配設した３つのヒューズホルダー12,12,12の入力端子に接続している。
【００３５】
また、計器用変圧変流器11からは電力量計測配線30を延出し、変圧器支持体５の下方の引込柱１に配設した電力量計17に接続し、電力量計17において使用電力量の計測・管理を行なうようにしている。
【００３６】
次いで、３つのヒューズホルダー12,12,12の出力端子にそれぞれ第４接続線31,31,31の一端を接続し、他端を高圧コンデンサ15の入力端子にそれぞれ接続している。
【００３７】
なお、第４接続線31,31,31は、中途部においてそれぞれ動力用変圧器接続配線32,32,32を分岐させており、同動力用変圧器接続配線32,32,32の端部を動力用変圧器13の３つの一次端子にそれぞれ接続し、高電圧の電気を動力用変圧器13に入力している。しかも、第４接続線31,31,31によって高圧コンデンサ15が接続されていることにより、力率を改善することができ、エネルギー効率を高めることができる。
【００３８】
上記の第１接続配線25,25,25、第２接続配線26,26,26、避雷器接続配線27,27,27、第３接続配線29,29,29、第４接続線31,31,31、動力用変圧器接続配線32,32,32では、いずれも高電圧の電気が送電されるため、近接による短絡を防止するために３本一対の配線の各配線においてそれぞれ所用の間隔を空けながら配設を行なう必要がある。
【００３９】
そのためにも、上記したように、開閉器９と、計器用変圧変流器11と、ヒューズホルダー12と、動力用変圧器13とをできるだけ縦方向に揃えて配設し、略同一な鉛直線上に並ぶようにしていると、各配線間の間隔を空けやすく、かつ、各配線の配設作業を非常に行ないやすくすることができる。そのうえ、従来のように、絶縁に注意しながらＣＶケーブル等にまとめる端末処理などの作業を行なう必要がなく、短時間で各配線の配設作業を行なうことができ、作業効率を著しく向上させることができる。また、それにともなって作業コストを大きく低減させることができる。
【００４０】
動力用変圧器13の３つの二次端子には、それぞれ出力配線33の一端を接続し、他端を分電盤16の動力用電気入力端子（図示せず）にそれぞれ接続している。なお、３本の出力配線33はそれぞれ２００Ｖの低電圧の電気を送電するものであるため、途中で配線を１つに束ねることが容易であり、適宜束ねて分電盤16に導いている。図中の符号34は分電盤16に接続する出力配線33を保護する保護管であり、同保護管34内に３本の出力配線33を挿通させている。
【００４１】
また、３つのヒューズホルダー12,12,12から２つのヒューズホルダー12,12を選択し、その２つのヒューズホルダー12,12の出力端子にそれぞれ第５接続線35,35の一端を接続し、他端を電灯用変圧器14の一次端子にそれぞれ接続し、高電圧の電気を電灯用変圧器14に入力している。
【００４２】
電灯用変圧器14では、２本の第５接続線35,35によって高電圧の電気の入力が行なわれればよいので、高電圧の電気が送電される２本の第５接続線35,35同士の間隔を、短絡を生じさせないように十分に空けながら配設することが容易である。そこで、電灯用変圧器14はヒューズホルダー12,12,12の真下でなく、引込柱１を挟んで動力用変圧器13と反対側となる位置に設置し、上記したように変圧器支持体５上でのバランスをとりやすくするとともに、配設形態をコンパクトとして動力用変圧器13及び電灯用変圧器14の配設作業、及び、各電気機器間を接続する各配線の配設作業の作業性を向上可能としている。
【００４３】
電灯用変圧器14の３つの二次端子にはそれぞれ接続し電灯用出力配線36の一端を接続し、他端を分電盤16の電灯用電気入力端子（図示せず）にそれぞれ接続している。なお、電灯用出力配線36は１００Ｖの低電圧の電気を送電するものであるため、途中で配線を１つに束ねることが容易であり、適宜束ねて分電盤16に導いている。図中の符号37は分電盤16に接続される電灯用出力配線36を保護する保護管であり、同保護管37内に電灯用出力配線36を挿通させている。
【００４４】
次いで、分電盤16の動力用電気出力端子（図示せず）に動力用引込電線19aの一端を接続し、さらに、分電盤16の電灯用電気出力端子（図示せず）に電灯用引込電線19bの一端を接続し、同動力用引込電線19aと電灯用引込電線19bとを電気の送電される建物Ｓまで引き延ばし、同建物Ｓの引込盤20におけるそれぞれの入力端子に接続して送電を行なうようにしている。
【００４５】
上記したように柱上高圧変電システムでは、高圧配電線22,22,22と動力用変圧器13との間に介設したヒューズホルダー12,12,12内の各ヒューズは、高電圧の送電を行っているためにそれぞれ互いに独立させており、いずれか一つのヒューズが切れたとしても他のヒューズにはその影響が何ら生じることはない。
【００４６】
そこで、図３に示すように、分電盤16内に欠損検知器40を設け、この欠損検知器40でヒューズの切断を間接的に検知して欠損状態が持続されることを防止している。なお、欠損検知器40では欠損の発生を検知しており、ヒューズの切断を検知するものではないが、欠損の発生原因のほとんどがヒューズ切れによるものであるので、欠損検知器40においてヒューズの切断を検知しているとみなすことができる。
【００４７】
欠損検知器40には、図３に示すように、検知手段である欠損検知回路41と、この欠損検知回路41における検知に基づいて出力配線33からの出力を遮断させる遮断信号を出力する遮断信号出力回路42とを設けている。この遮断信号出力回路42が遮断制御手段である。図３中、50は欠損検知器40に遮断信号となる所要電圧を供給するための電力供給回路である。
【００４８】
欠損検知回路41には、一端を出力配線33の１本に接続した３本の導入配線43,43,43を接続し、欠損検知回路41にも出力配線33によって送電されている電気を入力している。そして、本実施形態では、欠損検知回路41は、導入配線43,43,43を介して入力された３本の出力配線33,33,33の間の電圧を検出し、いずれか２本の出力配線33,33の間における電圧が所定の電圧値以下となっていないかを検出している。そして電圧が所定電圧値以下となっている場合には、欠損が生じているものと判断している。
【００４９】
上記したいずれか一つのヒューズが切れた場合には、少なくともいずれか１組の２本の出力配線33,33の間の電圧は１８０Ｖよりも小さくなるのがほとんどであるので、所定値を１８０Ｖとしている。なお、この所定値は欠損検知回路41内に設けた設定用回路（図示せず）によって適宜設定可能としており、１８０Ｖに限定するものではない。
【００５０】
他の実施形態として、上記したようにいずれか２本の出力配線33,33の間の電位に基づいて欠損の有無を判断するのではなく、３本の出力配線33,33,33のうち、少なくとも１本の出力配線33の電圧が所定電圧値以下となったことを欠損検知回路41によって検知して、欠損が生じているものと判断するようにしてもよい。この場合でも、欠損検知回路41によって欠損の有無を確実に検知することができる。
【００５１】
欠損検知回路41が欠損の有無を判別する基準の所定値は、欠損検知回路41内に設けた設定用回路（図示せず）によって適宜設定可能としている。さらに、この設定用回路によって、欠損の有無の判別を、いずれか２本の出力配線33,33の間の電位に基づいて行うのか、少なくとも１本の出力配線33の電位に基づいて行うのかを選択可能としてもよい。このように選択可能とすることによって、変電設備の設置環境に適合させて欠損有無の判別基準を設定することができ、欠損検知器40による感知精度を向上させることができる。
【００５２】
図３中、41aは検知用電圧入力端子である。また、60は導入配線43,43,43に介設した第１過電流阻止回路であって、欠損検知器40に過電流が入力されて欠損検知回路41が破損することを防止している。60aは第１過電流阻止回路60の入力端子、60bは第１過電流阻止回路60の出力端子である。
【００５３】
欠損検知回路41において欠損を検知した場合には、欠損検知回路41は遮断信号出力回路42に検知信号を入力し、遮断信号出力回路42は検知信号に基づいて出力配線33の中途部に設けた遮断回路70に出力配線33からの出力を遮断させる遮断信号を出力するようにしている。
【００５４】
ここで、遮断回路70には、高圧配電線22,22,22による送電が停止した場合に遮断動作を行わないものを使用している。したがって、停電にともなって遮断回路70が動作して、手動による復帰作業が必要となることを防止できる。
【００５５】
図３中、42aは遮断信号出力端子、70cは遮断信号入力端子であり、遮断信号出力回路42と遮断回路70とは第１信号線71と第２信号線72とで接続し、本実施形態ではこの第１信号線71及び第２信号線72を介して遮断信号を遮断回路70に入力するようにしている。特に、本実施形態では、第１信号線71で０Ｖを入力し、第２信号線72で２４Ｖを入力して、ブレーカからなる遮断回路70を作動させて、出力配線33からの出力を遮断するようにしている。
【００５６】
また、図３中、70aは出力配線33,33,33に遮断回路70を介設するための出力配線入力端子、70bは出力配線出力端子である。
【００５７】
上記したように欠損検知器40によって欠損の有無を検知することができるので、欠損検知器40によって欠損を検出した場合には遮断回路70によって出力配線33からの出力を遮断することにより、異常な電力の供給にともなってその電力が供給された装置に故障が生じることを防止できる。
【００５８】
特に、欠損検知器40は、ヒューズの切断を直接的に検出するのではなく、動力用変圧器13で変圧されて低圧となった電力を利用して検知することにより、欠損検知器40は動力用の電圧に対して耐性を有する機器を用いて構成することができるので安価に構成することができ、低コスト化を図ることができる。
【００５９】
しかも、欠損検知器40は分電盤16内に設けることによって、欠損検知器40が強固な耐候性を有する必要がなく、より安価に構成することができるとともに、欠損検知器40の取付作業を容易とすることができる。
【００６０】
本実施形態の欠損検知器40には、さらに停電検知回路44を設けている。この停電検知回路44には、一端を出力配線33の１本に接続した２本の停電検知用配線45,45を接続し、この停電検知用配線45,45を介して停電検知回路44にも出力配線33を送電される電気を入力している。
【００６１】
停電検知回路44では、停電検知用配線45,45を介して入力された出力配線33,33の電圧を随時計測して、どちらの出力配線33,33からも所定の電圧を検出できない場合には停電状態であると判断して、欠損検知回路41に停電検知信号を入力するようにしている。
【００６２】
停電検知信号を欠損検知回路41に入力することによって、欠損検知回路41が停電を欠損が生じたと誤って検知することを防止でき、遮断回路70を誤作動させることを防止できる。したがって、停電にともなって遮断回路70が動作して、手動による復帰作業が必要となることを防止できる。
【００６３】
図３中、44aは停電検知用電圧入力端子である。また、80は停電検知用配線45,45に介設した第２過電流阻止回路であって、欠損検知器40に過電流が入力されて停電検知回路44が破損することを防止している。80aは第２過電流阻止回路80の入力端子、80bは第２過電流阻止回路80の出力端子である。
【図面の簡単な説明】
【００６４】
【図１】本発明に係る柱上高圧変電システムの使用状態を示した説明図である。
【図２】本発明に係る柱上高圧変電システムの部分拡大図である。
【図３】本発明に係る欠損検知器の概略ブロック図である。
【符号の説明】
【００６５】
Ｓ  建物
１  引込柱
２  開閉器支持体
３  変圧変流器支持体
４  ヒューズ支持体
５  変圧器支持体
９  開閉器
10  避雷器
11  計器用変圧変流器
12  ヒューズホルダー
13  動力用変圧器
14  電灯用変圧器
15  高圧コンデンサ
16  分電盤
17  電力量計
18  地絡継電器
19a 動力用引込電線
19b 電灯用引込電線
20  引込盤
21  掛止体
33  出力配線
36  電灯用出力配線
40  欠損検知器
41  欠損検知回路
42  遮断信号出力回路
43  導入配線
44  停電検知回路
45  停電検知用配線
50  電力供給回路
60  第１過電流阻止回路
70  遮断回路
71  第１信号線
72  第２信号線
80  第２過電流阻止回路
【図１】
2005080348.tif 000003
【図２】
2005080348.tif 000004
【図３】
2005080348.tif 000005